(57)【要約】【課題】ユーザに適切かつ効率的にコンテンツを削除させるための録画再生装置を提供すること。【解決手段】コンテンツを録画し再生する録画再生装置５０であって、コンテンツの削除に関する情報を含む管理情報を記憶する番組データベース８と、ユーザからの指示を受け付ける受付部９と、受付部９がコンテンツを削除するための指示が受け付けた場合、コンテンツが再生中であるか否かを判断する判断部３ｂと、判断部３ｂによりコンテンツが再生中であると判断された場合、番組データベース８に記憶されている管理情報をユーザに知らせるための案内画面の画像を生成する画面生成部３ａと、画面生成部３ａにより生成された案内画面の画像を出力する出力部６と、受付部９がコンテンツの削除に対するユーザの意見を管理情報に追加する指示を受け付けた場合、意見を示す情報を、番組データベース８に記憶されている管理情報に追加する管理部３ｃとを備える。【選択図】図１
2007150912.tif 000002
【特許請求の範囲】
【請求項１】
コンテンツを録画し再生する録画再生装置であって、
コンテンツの削除に関する情報を含む管理情報を記憶する管理情報記憶手段と、
ユーザからの指示を受け付ける受付手段と、
前記受付手段が前記コンテンツを削除するための指示を受け付けた場合、前記コンテンツが再生中であるか否かを判断する判断手段と、
前記判断手段により前記コンテンツが再生中であると判断された場合、前記管理情報記憶手段に記憶されている前記管理情報を前記ユーザに知らせるための案内画面の画像を生成する生成手段と、
前記生成手段により生成された前記案内画面の画像を出力する出力手段と、
前記受付手段が前記コンテンツの削除に対する前記ユーザの意見を前記管理情報に追加する指示を受け付けた場合、前記ユーザの意見を示す情報を、前記管理情報記憶手段に記憶されている前記管理情報に追加する管理手段と
を備える録画再生装置。
【請求項２】
さらに、前記コンテンツを記憶するコンテンツ記憶手段を備え、
前記判断手段は、前記受付手段が前記コンテンツを削除するための指示を受け付けた場合、さらに、前記出力手段から前記案内画面の画像が出力されているか否かを判断し、
前記管理手段は、前記判断手段により前記出力手段から前記案内画面の画像が出力されていると判断された場合、前記コンテンツ記憶手段の、前記コンテンツの記憶のために使用されている記憶領域を空き領域とする処理を行なう
請求項１記載の録画再生装置。
【請求項３】
さらに、ユーザに押されることにより前記コンテンツを削除するための指示を前記受付手段に送る削除ボタンを備え、
前記制御手段に記憶されている前記管理情報は、前記コンテンツの削除に関する情報である前記コンテンツの削除に同意したユーザを特定するための情報を含み、
前記生成手段は、前記コンテンツの削除に同意したユーザを特定するための情報をユーザに知らせる内容と、前記ユーザの意見である前記コンテンツの削除に同意するか否かの意見を前記録画再生装置に入力させる入力欄とを含む案内画面の画像を生成し、
前記受付手段は、前記ユーザの意見が前記入力欄に入力されることで、前記ユーザの意見を前記管理情報に追加する指示を受け付け、前記削除ボタンが前記ユーザに押されることで、前記コンテンツを削除するための指示を受け付ける
請求項２記載の録画再生装置。
【請求項４】
前記コンテンツは放送番組である
請求項１記載の録画再生装置。
【請求項５】
コンテンツを録画し再生する録画再生装置における、コンテンツを管理する方法であって、
前記録画再生装置は、コンテンツの削除に関する情報を含む管理情報を記憶する管理情報記憶手段を備え、
前記方法は、
ユーザからの指示を受け付ける受付ステップと、
前記受付ステップにおいて、前記コンテンツを削除するための指示が受け付けられた場合、前記コンテンツが再生中であるか否かを判断する判断ステップと、
前記判断ステップにおいて前記コンテンツが再生中であると判断された場合、前記管理情報記憶手段に記憶されている前記管理情報を前記ユーザに知らせるための案内画面の画像を生成する生成ステップと、
前記生成ステップにおいて生成された前記案内画面の画像を出力する出力ステップと、
前記受付ステップにおいて、前記コンテンツの削除に対する前記ユーザの意見を前記管理情報に追加する指示が受け付けられた場合、前記意見を示す情報を、前記管理情報記憶手段に記憶されている前記管理情報に追加する管理ステップと
を含む方法。
【請求項６】
コンテンツを録画し再生する録画再生装置のためのプログラムであって、
前記録画再生装置は、コンテンツの削除に関する情報を含む管理情報を記憶する管理情報記憶手段を備え、
前記プログラムは、
ユーザからの指示を受け付ける受付ステップと、
前記受付ステップにおいて、前記コンテンツを削除するための指示が受け付けられた場合、前記コンテンツが再生中であるか否かを判断する判断ステップと、
前記判断ステップにおいて前記コンテンツが再生中であると判断された場合、前記管理情報記憶手段に記憶されている前記管理情報を前記ユーザに知らせるための案内画面の画像を生成する生成ステップと、
前記生成ステップにおいて生成された前記案内画面の画像を出力する出力ステップと、
前記受付ステップにおいて、前記コンテンツの削除に対する前記ユーザの意見を前記管理情報に追加する指示が受け付けられた場合、前記ユーザの意見を示す情報を、前記管理情報記憶手段に記憶されている前記管理情報に追加する管理ステップと
をコンピュータに実行させるためのプログラム。
【請求項７】
コンテンツを録画し再生する録画再生装置のための集積回路であって、
前記録画再生装置は、コンテンツの削除に関する情報を含む管理情報を記憶する管理情報記憶手段を備え、
前記集積回路は、
ユーザからの指示を受け付ける受付手段と、
前記受付手段が前記コンテンツを削除するための指示を受け付けた場合、前記コンテンツが再生中であるか否かを判断する判断手段と、
前記判断手段により前記コンテンツが再生中であると判断された場合、前記管理情報記憶手段に記憶されている前記管理情報を前記ユーザに知らせるための案内画面の画像を生成する生成手段と、
前記生成手段により生成された前記案内画面の画像を出力する出力手段と、
前記受付手段が前記コンテンツの削除に対する前記ユーザの意見を前記管理情報に追加する指示を受け付けた場合、前記ユーザの意見を示す情報を、前記管理情報記憶手段に記憶されている前記管理情報に追加する管理手段と
を備える集積回路。
【発明の詳細な説明】
【技術分野】
【０００１】
本発明は、コンテンツを録画し、再生する録画再生装置に関する。
【背景技術】
【０００２】
近年、放送番組（以下、単に「番組」ともいう。）等のコンテンツをＭＰＥＧ２などの圧縮データに圧縮し、ハードディスクドライブ（ＨＤＤ）に記録する映像録画再生装置いわゆるＤＶＲ（Ｄｉｇｉｔａｌ  Ｖｉｄｅｏ  Ｒｅｃｏｒｄｅｒ）が普及しつつある。ＤＶＲでは、ＨＤＤに大量の番組を録画することができ、一覧から選択して再生あるいは番組の削除を行うことができる。
【０００３】
録画再生装置を複数のユーザが使用する場合に、ひとつの番組を複数のユーザが別々に見る場合には、それぞれのユーザがその番組を見たかどうかが判定できないために、番組を削除することができず、ＨＤＤの容量を圧迫していた。また、逆に他のユーザが番組を見ていないにも関わらず番組を削除してしまう場合もあった。これを避けるための技術が特許文献１に開示されている。
【０００４】
この技術によれば、録画された番組のタイトルと、各ユーザが番組の削除に同意したか否かを示す情報とが対応付けられて録画リストとして表示される。ある番組を削除しようとするユーザは、録画リストを表示させ、削除対象の番組について、他のユーザが削除に同意しているか否かを確認することができる。
【特許文献１】特開２００５−５７６３７号公報
【発明の開示】
【発明が解決しようとする課題】
【０００５】
ここで、放送番組を録画した場合、本編に加えコマーシャルメッセージ（ＣＭ）等が最後に付加されて録画される場合がほとんどであり、ユーザがその番組を削除しようと考えるのは、本編を見終わった再生中の時点であることが多い。
【０００６】
また、番組を視聴し終えてから削除しようと考えていても、時間が経つと削除対象の番組のタイトル、さらには、番組を削除しようとしていたことすら忘れてしまうことがあり、ＨＤＤの容量を圧迫する要因ともなっている。さらに、録画リストには、不要となった番組の情報も表示されることとなり、ユーザにとって見難い録画リストとなってしまうという問題もある。
【０００７】
しかし、上記従来の技術によれば、ユーザが番組の本編を見終わったなどの理由で番組の再生中に削除したいと考えた場合、一旦、削除対象以外の番組の情報も含む録画リストを表示させ、その中から削除対象の番組に関する情報を探し出す手順が必要である。さらには、似たようなタイトルが録画リストに多い場合や、連続ドラマを毎回録画しているため録画リストの中に同一のタイトルが複数存在する場合など、ユーザがその中から削除対象の番組を見つけるのが困難な場合がある。
【０００８】
また、番組を削除するための手順を少なくするために、他のユーザがその番組の削除に同意しているか否か等の情報をユーザに知らせる手順をなくした場合、上述のように、他のユーザが削除して欲しくないと考える番組が削除されることもあり、番組の適切な削除が行なえなくなる。
【０００９】
本発明は上記従来の課題を考慮し、ユーザに適切かつ効率的にコンテンツを削除させるための録画再生装置を提供することを目的とする。
【課題を解決するための手段】
【００１０】
上記目的を達成するために、本発明の録画再生装置は、コンテンツを録画し再生する録画再生装置であって、コンテンツの削除に関する情報を含む管理情報を記憶する管理情報記憶手段と、ユーザからの指示を受け付ける受付手段と、前記受付手段が前記コンテンツを削除するための指示を受け付けた場合、前記コンテンツが再生中であるか否かを判断する判断手段と、前記判断手段により前記コンテンツが再生中であると判断された場合、前記管理情報記憶手段に記憶されている前記管理情報を前記ユーザに知らせるための案内画面の画像を生成する生成手段と、前記生成手段により生成された前記案内画面の画像を出力する出力手段と、前記受付手段が前記コンテンツの削除に対する前記ユーザの意見を前記管理情報に追加する指示を受け付けた場合、前記ユーザの意見を示す情報を、前記管理情報記憶手段に記憶されている前記管理情報に追加する管理手段とを備える。
【００１１】
この構成により、本発明の録画再生装置を使用するユーザは、再生中のコンテンツを削除するための指示を録画再生装置に与えることができる。また、録画再生装置は、コンテンツを再生中に、コンテンツを削除するための指示を受け付けた場合、そのコンテンツの削除に関する情報を含む管理情報ユーザに知らせる案内画面の画像を生成し出力することができる。
【００１２】
つまり、ユーザは、コンテンツが再生されている状態から簡単な手順で案内画面を見ることができる。その案内画面を参照することにより、再生中のコンテンツを削除するか否かを決定することができる。さらに、そのコンテンツの削除に対する意見を管理情報に追加することができる。
【００１３】
結果として、あるユーザは、他のユーザによって更新された管理情報を簡単な手順で見ることができることとなる。これにより、ユーザは適切かつ効率的にコンテンツを削除することが可能となる。
【００１４】
また、本発明の録画再生装置は、前記コンテンツを記憶するコンテンツ記憶手段を備え、前記判断手段は、前記受付手段が前記コンテンツを削除するための指示を受け付けた場合、さらに、前記出力手段から前記案内画面の画像が出力されているか否かを判断し、前記管理手段は、前記判断手段により前記出力手段から前記案内画面の画像が出力されていると判断された場合、前記コンテンツ記憶手段の、前記コンテンツの記憶のために使用されている記憶領域を空き領域とする処理を行なうとしてもよい。
【００１５】
これにより、ユーザは、あるコンテンツについての案内画面が表示されている状態において、そのコンテンツを実質的に削除することができる。つまり、簡単な手順で再生中のコンテンツを削除することができ、そのコンテンツに使用されていた記憶領域を有効に使用することが可能となる。
【００１６】
さらに、本発明は、本発明の録画再生装置の特徴的な構成部をステップとする方法として実現したり、それらのステップを含むプログラムとして実現したり、そのプログラムが格納された、ＣＤ−ＲＯＭ等の記憶媒体として実現したり、集積回路として実現することもできる。プログラムは、通信ネットワーク等の伝送媒体を介して流通させることもできる。
【発明の効果】
【００１７】
本発明によれば、ユーザに適切かつ効率的にコンテンツを削除させるための録画再生装置を提供することができる。この録画再生装置においては、ユーザ間で削除の同意情報を有効に活用できＨＤＤを有効利用できる。
【発明を実施するための最良の形態】
【００１８】
以下、添付の図面を参照しながら、本発明の実施の形態の録画再生装置について説明する。
【００１９】
（実施の形態１）
まず、本発明の実施の形態１における録画再生装置の構成を説明する。
【００２０】
図１は、本発明の実施の形態１における録画再生装置の機能的な構成を示す機能ブロック図である。
【００２１】
図１に示すように、実施の形態１の録画再生装置５０は、チューナ２と、情報管理部３と、エンコーダ４と、デコーダ５と、出力部６と、ＨＤＤ７と、番組データベース８と、受付部９と、リモコン１１と、予約データベース１３と、ユーザデータベース１４と、時計１５とを備える。
【００２２】
情報管理部３は、画面生成部３ａ、判断部３ｂおよび管理部３ｃを有しており、録画再生装置５０の主要な動作を管理および制御する処理部である。画面生成部３ａは、録画した番組の一覧や番組の削除のための画面等を生成する処理部である。判断部３ｂは、録画された番組が再生中であるか等を判断する処理部である。管理部３ｃは、各データベースに格納されている情報の管理を行なう処理部である。なお、これら画面生成部３ａ、判断部３ｂおよび管理部３ｃが行なう処理以外の処理、例えば、ユーザが視聴する番組のチャンネルの設定処理等は、画面生成部３ａ等が有する機能以外の、情報管理部３が有する機能により実行される。
【００２３】
チューナ２にはアンテナ１が接続されており、出力部６には表示装置１０が接続されている。また、ユーザは、リモコン１１を用いて録画、再生等を録画再生装置５０に指示することができる。
【００２４】
アンテナ１はテレビ放送波を受信し、チューナ２に出力する。チューナ２は、受信したテレビ放送波から情報管理部３の指示するチャンネルの放送波をビデオ信号に復調し、出力部６とエンコーダ４に出力する。エンコーダ４は入力されたビデオ信号をデジタルデータに変換しＨＤＤ７に記録する。つまり番組が録画される。その際動作の有無およびＨＤＤ７に記録する場合のファイル名は情報管理部３が指示を行う。
【００２５】
なお、録画再生装置５０が録画し再生する放送番組は、本発明の録画再生装置におけるコンテンツの一例である。また、ＨＤＤ７は、本発明の録画再生装置におけるコンテンツ記憶手段の一例である。
【００２６】
デコーダ５は、ＨＤＤ７からデジタルデータを取り出し、ビデオ信号にデコードし、出力部６に出力する処理部である。その際動作の有無およびＨＤＤ７から取り出すデジタルデータのファイル名は情報管理部３が指示する。
【００２７】
出力部６は、チューナ２とデコーダ５から入力されるビデオ信号、情報管理部３から入力されるメニュー画面のいずれかを選択して出力する処理部である。その際、いずれを選択するかは情報管理部３が指示を行う。表示装置１０は出力部６の出力するビデオ信号を受け表示する装置であり、例えばテレビである。
【００２８】
リモコン１１は、ユーザの指示を録画再生装置５０に伝える入力装置である。受付部９はリモコン１１の操作を受信し情報管理部３に出力する処理部である。経路１２は赤外線である。時計１５は予約録画などに利用される時計である。
【００２９】
予約データベース１３は、番組を予約録画するための情報である予約情報を格納するデータベースである。
【００３０】
図２は、本発明の実施の形態１における予約情報のデータ構成の一例を示す図である。予約情報は、予約録画を行う番組に関する情報であり、少なくともチャンネル２１、開始時刻２２、終了時刻２３、および番組タイトル２４から構成される。１つの録画予約に対し１行の予約情報が対応する。
【００３１】
番組データベース８は、本発明の録画再生装置における管理情報記憶手段の一例であり、ＨＤＤ７に蓄積されているコンテンツの削除に関する情報を含む管理情報を格納するデータベースである。
【００３２】
図３は、本発明の実施の形態１における管理情報のデータ構成の一例を示す図である。管理情報は、ＨＤＤ７に蓄積されているコンテンツの削除に関する情報を含む情報であり、少なくとも番組タイトル３１、ファイル名３２、削除フラグ３３から構成される。録画された１つの番組に対し１行の管理情報が対応する。
【００３３】
また、管理情報は、図６を用いて後述するタイトル一覧画面に用いられる情報であり、録画再生装置５０においては、対応する管理情報が番組データベース８に格納されている番組が再生可能な番組として認識される。
【００３４】
削除フラグ３３に記録されている“１”、“２”等の番号は、それぞれ１人のユーザに対応しており、削除フラグ３３に“１、２”と記録されている場合、“１”および“２”のそれぞれに対応する２人のユーザがその管理情報に対応する番組の削除に同意していることを示している。ユーザと“１”、“２”等の番号との対応はユーザデータベース１４に格納されているユーザ情報に定義されている。
【００３５】
ユーザデータベース１４は、録画再生装置５０を使用するユーザの情報であるユーザ情報を格納するデータベースである。
【００３６】
図４は、本発明の実施の形態１におけるユーザ情報のデータ構成の一例を示す図である。ユーザ情報は、少なくともユーザ名４１とそのインデックス４２とから構成される情報である。１人のユーザに対し１行のユーザ情報が対応する。
【００３７】
また、各ユーザ情報のインデックス４２に記録されている番号が上述の図３に示す管理情報の削除フラグ３３に記録された番号に対応する。例えば、図３の管理情報において“８時のニュース”と記録された管理情報は、削除フラグが“１”であり、“康夫”が削除に同意していることが分かる。
【００３８】
次に、以上のように構成された録画再生装置５０の動作を説明する。
まず、番組の予約録画を行う場合の動作を説明する。情報管理部３は定期的に時計１５から現在時刻を読み出す。さらに予約データベース１３に格納されている予約情報を検索し、現在時刻から一定時間後までに開始時刻２２が設定された番組を特定する。上記検索に該当する番組がある場合、その番組のチャンネル２１をチューナ２に設定する。そして開始時刻２２になったときにエンコーダ４に対してエンコード開始の合図と、ＨＤＤ７に記録する際のファイル名を指示する。ファイル名は、ＨＤＤ７内でユニークになるよう適切に作成する。
【００３９】
情報管理部３は、さらに終了時刻２３になったときにエンコーダ４に終了を指示する。また予約録画を行った際には、番組データベース８に予約録画した番組の情報を追加する。具体的には、管理部３ｃが、予約録画した番組の番組タイトル２４を予約データベース１３から読み出し、番組データベース８に１つの空の管理情報を追加する。さらに、その追加した管理情報の番組タイトル３１に予約録画した番組の番組タイトル２４を記録し、ファイル名３２にＨＤＤ７に記録したファイル名を記録する。削除フラグ３３は予約録画時には空とする。
【００４０】
なお、削除フラグ３３が空の管理情報に対応する番組は、全てのユーザがその番組の削除に不同意であるとして扱われる。
【００４１】
次に、放送番組を視聴する場合の動作を説明する。情報管理部３はチューナ２に視聴する番組のチャンネルを設定する。また出力部６にチューナ２の出力を選択して出力するよう指示を行う。ユーザがリモコン１１によってチャンネルの変更を指示した場合、その指示は受付部９に伝えられ受付部９から情報管理部３に出力される。情報管理部３は受け取った指示に従い、変更されたチャンネルをチューナ２に設定する。
【００４２】
次に、録画された番組をユーザが視聴する場合の動作を説明する。
図５は、本発明の実施の形態１におけるリモコン１１の概観を示す図である。図５に示すように、リモコン１１はユーザが録画再生装置５０に指示を与えるための各種ボタンを備えている。
【００４３】
具体的には、リモコン１１は、メニューボタン５１と、上ボタン５２と、下ボタン５３と、決定ボタン５４と、取消ボタン５５と、削除ボタン５６とを備えている。
【００４４】
ここで、番組を視聴している画面を番組表示画面という。番組表示画面でメニューボタン５１が押された場合、画面生成部３ａはタイトル一覧画面を生成し出力部６に出力する。
【００４５】
図６は、本発明の実施の形態１におけるタイトル一覧画面の画面構成の一例を示す図である。
【００４６】
図６に示すように、タイトル一覧画面には録画済の番組、つまりＨＤＤ７にデジタルデータとして記憶されている番組のタイトルが表示される。また、各番組タイトルに対応し、削除に同意したユーザの名前が表示される。タイトル一覧画面は、具体的には以下の動作により生成される。
【００４７】
管理部３ｃは番組データベース８から全ての番組タイトル３１と各番組タイトル３１に対応付けられている削除フラグ３３とを読み出し、その削除フラグ３３をユーザ名４１に変換する。この変換には、ユーザデータベース１４に格納されているユーザ情報が用いられ、削除フラグ３３に対応するインデックス４２を有するユーザ名４１がユーザ情報から読み出される。
【００４８】
これら読み出された情報は、画面生成部３ａによって処理され、番組タイトルおよびその番組の削除に同意したユーザの一覧であるタイトル一覧画面が生成され、出力部６から表示装置１０に出力される。
【００４９】
表示された最初の状態では、番組の一番上の行が強調表示される。下ボタン５３を押すと一つ下の番組のみが強調表示される。また上ボタン５２を押すと一つ上の番組のみが強調表示される。一番上の番組が強調表示されている状態で上ボタン５２を押すと一番下の番組のみが強調表示され、一番下の番組が強調表示されている状態で上ボタン５２を押すと一番下の番組のみが強調表示される。
【００５０】
なお、強調表示は図中においてドットで表現されている。後述する図８および図１２においても同じである。例えば、図６においては、“８時のニュース”の行が強調表示されている。
【００５１】
タイトル一覧画面が表示されている場合、ユーザにより決定ボタン５４が押されると、その時に強調表示されていた番組を再生する。削除ボタン５６が押されると、その時に強調表示されていた番組の削除に関する情報をユーザに知らせるための案内画面を表示する。案内画面については図８を用いて後述する。
【００５２】
取消ボタン５５が押されると、タイトル一覧画面を終了し、タイトル一覧画面を表示する画面に戻る。
【００５３】
これら一連の動作時には、情報管理部３が、画面生成部３ａから出力されるタイトル一覧画面を選択して出力するよう出力部６に指示する。
【００５４】
録画された番組を表示する番組表示画面が表示されている場合、つまり、録画された番組の再生中に、ユーザにより削除ボタン５６が押された場合の録画再生装置５０の動作について詳細に説明する。
【００５５】
図７は、ユーザによりリモコン１１の削除ボタン５６が押された場合の録画再生装置５０の動作の流れを示すフロー図である。
【００５６】
ユーザにより削除ボタン５６が押されると、受付部９は番組を削除するための指示である削除指示を受け付ける（Ｓ１）。判断部３ｂは、番組が再生中であるか否かを判断する（Ｓ２）。画面生成部３ａは、判断部３ｂによって番組が再生中であると判断されると（Ｓ２で“番組再生中”）、案内画面の画像を生成し出力部６に出力する（Ｓ３）。
【００５７】
図８は、本発明の実施の形態１における案内画面の画面構成の一例を示す図である。案内画面は、番組の削除に関する情報をユーザに知らせるための画面である。また、ユーザは、案内画面において、その番組の削除、またはその番組の削除についての同意／不同意の意見の追加を行なうことができる。
【００５８】
案内画面にはメッセージ６０および意見追加ボタン６１が表示される。メッセージ６０は、再生中の番組に対して削除に同意しているユーザを表示する欄である。
【００５９】
管理部３ｃは、判断部３ｂによって再生中であると判断された番組を特定し、番組データベース８とユーザデータベース１４とを用い、その番組の削除に同意したユーザ名と、他の全てのユーザ名とをユーザデータベース１４から読み出し画面生成部３ａに渡す。
【００６０】
画面生成部３ａは、その番組の削除に同意したユーザ名を表示するメッセージ６０を生成する。また、全てのユーザについての意見追加ボタン６１を生成し、メッセージ６０と意見追加ボタン６１とを含む案内画面の画像を生成する。生成された案内画面の画像は出力部６を介し表示装置１０に出力され表示される。
【００６１】
意見追加ボタン６１はユーザが番組の削除に同意するか否かの意見を追加するためのボタンであり、上述のようにユーザの人数分存在する。ユーザは上ボタン５２と下ボタン５３で強調表示を移動させることができる。
【００６２】
決定ボタン５４が押されると強調表示されたユーザの削除フラグを反転させる。すなわち、同意であれば不同意に、不同意であれば同意に反転させる。この操作により、受付部９は、再生されていた番組の削除への同意または不同意の意見を追加する指示を受け付け（Ｓ４）、管理部３ｃにより番組データベース８に格納されている管理情報に同意または不同意の意見が追加される（Ｓ５）。つまり、意見追加ボタン６１は本発明の録画再生装置における入力欄の一例であり、ユーザにより選択され、決定ボタン５４が押されることにより、ユーザの意見が録画再生装置５０に入力される。
【００６３】
具体的には、あるユーザのユーザ名が表示された意見追加ボタン６１において不同意が同意に反転された場合、管理部３ｃは当該番組の管理情報の削除フラグ３３にそのユーザのインデックスを追加する。また、同意が不同意に反転された場合には、その削除フラグ３３からそのユーザのインデックスを削除する。そして、タイトル一覧画面へと戻る。なお、取消ボタン５５が押された場合には、何もせずタイトル一覧画面へと戻る。
【００６４】
このように、管理部３ｃは、受付部９を介して受け取るユーザの指示に基づき、録画された番組の削除に対する同意または不同意という意見を管理情報へ追加する。
【００６５】
また、案内画面が表示されている場合に、削除ボタン５６が押されると、判断部３ｂは、出力部６から案内画面の画像が出力されていると判断する（Ｓ２で“案内画面出力中”）。管理部３ｃは、判断部３ｂによって、案内画面の画像が出力されていると判断されると、対象となる番組を削除する（Ｓ６）。
【００６６】
ここで、番組を削除するとは、直接的な動作としては、管理部３ｃが番組データベース８から対象となる番組の管理情報を削除することである。削除後には、更新された番組データベース８に格納されている管理情報を元にタイトル一覧画面が表示される。つまり、管理情報を削除された番組は、削除後にはタイトル一覧画面に表示されない。従ってユーザはその番組を視聴することができない。
【００６７】
また、管理情報を削除された番組が記憶されていたＨＤＤ７内の記憶領域は空き領域として認識される。つまり、管理部３ｃが削除対象の番組の管理情報を削除するとは、その番組の記憶のために使用されている記憶領域を空き領域とする処理を行なうことである。この空き領域は新たに番組を録画した場合に上書きされる。
【００６８】
また、番組が削除されると、情報管理部３からの指示により、出力部６はその時点でチューナ２が受信している番組を表示装置１０に出力する。つまり、その時点で受信中の番組を表示する番組表示画面に戻る。
【００６９】
このように、録画再生装置５０のユーザは、録画された番組を再生中に削除ボタン５６を１回押すだけで、その番組についてのみの削除に関する情報が表示された案内画面を見ることができる。また、案内画面が表示されている状態では、ユーザの意見の追加、または、その番組の削除を行なうことができる。
【００７０】
なお、タイトル一覧画面が表示されている場合に、ユーザにより削除ボタン５６が押されると、タイトル一覧画面において強調表示されている番組についての案内画面が表示される。その後の動作は上述の通りであり、ユーザの指示に従い、その番組の削除に対する同意または不同意の意見が管理情報に追加される。または、その番組が削除される。
【００７１】
しかし、番組再生中に削除ボタン５６が押され、案内画面が表示された場合とは異なり、動作後は番組表示画面ではなくタイトル一覧画面へと戻る。
【００７２】
録画再生装置５０が出力する画面の遷移について図９を用いて説明する。
図９は、本発明の実施の形態１の録画再生装置５０が出力する画面の遷移を示す図である。これら画面の遷移は、ユーザの指示に基づいて行なわれる。具体的には、受付部９がユーザが操作するリモコン１１から指示を受け付け、その指示を情報管理部３が受け取り、指示内容に応じた画面を生成し出力する。
【００７３】
番組表示画面が出力されている場合、メニューボタン５１が押されると、タイトル一覧画面へ遷移する（Ｓ７１）。この状態で決定ボタン５４が押されるとタイトル一覧画面内の選択された番組の再生が始まり、その番組を表示する番組表示画面へ遷移する（Ｓ７２）。また、取消ボタン５５が押された場合は元の番組表示画面へ戻る（Ｓ７２）。
【００７４】
タイトル一覧画面が出力されている場合、削除ボタン５６が押されると、タイトル一覧画面内の選択された番組についての案内画面へ遷移する（Ｓ７３）。この状態で、決定ボタン５４が押されると案内画面内の選択された意見追加ボタン６１の同意／不同意が反転した後にタイトル一覧画面へ戻る（Ｓ７４）。取消ボタン５５が押された場合もタイトル一覧画面へ戻る（Ｓ７４）。また、削除ボタン５６が押された場合は、当該番組が削除され、タイトル一覧画面へ戻る（Ｓ７４）。
【００７５】
録画した番組が再生され表示される番組表示画面が出力されている場合、削除ボタン５６が押されると、その番組についての案内画面へ遷移する（Ｓ７５）。この状態で決定ボタン５４が押されると案内画面内の選択された意見追加ボタン６１の同意／不同意が反転した後に元の番組表示画面に戻る（Ｓ７６）。また、取消ボタン５５が押された場合も元の番組表示画面へ戻る（Ｓ７６）。削除ボタン５６が押された場合は、当該番組は削除され、チューナ２がその時点で受信中の番組を表示する番組表示画面へ遷移する（Ｓ７６）。
【００７６】
なお、番組表示画面からタイトル一覧画面を経由し（Ｓ７１）案内画面へ遷移（Ｓ７３）した場合は、番組表示画面へ直接戻らず、タイトル一覧画面を経由（Ｓ７４）し、番組表示画面へ戻る（Ｓ７２）ことになる。また、番組表示画面から案内画面に遷移（Ｓ７５）した場合は、タイトル一覧画面へ遷移することはなく、番組表示画面へ戻る（Ｓ７６）ことになる。
【００７７】
このように、ユーザは番組の再生中、削除を行おうと考えた場合に削除ボタン５６を１回押すことで、その番組を削除することに同意したユーザの一覧を表示することができる。これにより、誤って削除してはいけない番組を削除することを防ぐことができる。さらに、もう１回削除ボタン５６をおすことで、その番組を削除することができる。
【００７８】
また削除してはいけない場合に、自分が削除に同意したことを簡単に他のユーザに通知することができる。
【００７９】
ここで、前述のように、番組を録画した際、番組の本編の後にＣＭ等のユーザが視聴不要と考える情報が付加されて録画される場合がほとんどである。また、ユーザが録画した番組を削除しようと考えるのは番組の本編を見終わった直後であり、その時点では番組は再生中である。
【００８０】
つまり、番組の再生中にその番組の削除に係る処理を少ない手順でユーザに行なわせることは、番組を効率よく削除するためには重要なことである。
【００８１】
本発明の実施の形態１の録画再生装置５０においては、番組を削除する場合、番組の再生中に削除ボタン５６を２回押すだけでよい。また他のユーザに削除に同意したことを通知する場合でも、削除ボタン５６、決定ボタン５４をそれぞれ１回と、上ボタン５２と下ボタン５３を必要回数と最小限で済むのである。
【００８２】
従って、本発明の実施の形態１の録画再生装置５０は、ユーザに適切かつ効率的に番組を削除させることができ、ＨＤＤ７の効率的な使用、タイトル一覧の効率的な整理などを可能とする録画再生装置である。
【００８３】
（実施の形態２）
上述の実施の形態１では、ユーザによりユーザデータベース１４に登録されたユーザ名を用いて各ユーザを識別する形態を説明した。
【００８４】
そこで、実施の形態２として、ユーザにユーザ名を登録させることなく、リモコン１１に備えられたボタンを利用してユーザを識別する形態について説明する。
【００８５】
なお、実施の形態２の録画再生装置５０において以下に説明する以外の動作、機能および構成部は実施の形態１の録画再生装置５０と同じでありそれらの説明は省略する。
【００８６】
図１０は、本発明の実施の形態２におけるリモコン１１の概観を示す図である。図１０に示すように、実施の形態２のリモコン１１は実施の形態１のリモコン１１が備えるボタンに加え、青ボタン８１、赤ボタン８２、緑ボタン８３、黄ボタン８４の４つのボタンを備えている。なお、図中の“青”等の色名の記載はその色がボタンに付されていることを表現している。
【００８７】
これら色の付されたボタンはカラーボタンと呼ばれ、デジタル放送に対応のテレビ、録画再生装置等のリモコンに備えられているものである。
【００８８】
実施の形態２の録画再生装置５０は、これらカラーボタンを利用し、ユーザの識別を行なうことができる。
【００８９】
図１１は、本発明の実施の形態２におけるユーザ情報のデータ構成の一例を示す図である。ユーザ情報のエントリ数はカラーボタンの数と同じく４に固定であり、インデックス４２が“１”、“２”、“３”、“４”に対してユーザ名４１をそれぞれ“青”、“赤”、“緑”、“黄”と固定とする。このユーザ情報はユーザデータベース１４に予め記憶させておく。
【００９０】
例えば、録画再生装置５０を使用するユーザが４人いる場合、それぞれのユーザに“青”、“赤”、“緑”、“黄”のいずれかの色を重複しないように割り当てることで、各ユーザと各色および各カラーボタンとが対応付けられる。
【００９１】
画面生成部３ａは、図１１に示すユーザ情報を用い、タイトル一覧画面として図１２のような画面を生成する。
【００９２】
図１２は、実施の形態２におけるタイトル一覧画面の画面構成の一例を示す図である。なお、図中の“青”等の色名の記載はその色が色名の表示された矩形領域に付されていることを表現している。この矩形領域を以下、「タイル」という。後述する図１３についても同じである。
【００９３】
図１２に示すように、実施の形態２におけるタイトル一覧画面には、番組タイトルの横に、色づけされたタイルが並んでいる。各タイルはそれぞれのタイルに対応する番組の削除に同意したユーザを示すものである。また、それぞれの色は図１１に示すユーザ情報に対応している。
【００９４】
すなわち、実施の形態２の録画再生装置５０は削除に同意したユーザをユーザ名ではなく、色づけされたタイルで表示する。また情報管理部３は、案内画面の画像として図１３のような画面を出力する。
【００９５】
図１３は、実施の形態２における案内画面の画面構成の一例を示す図である。
図１３に示す案内画面は、同意しているユーザとして青のタイルが表示されており、青が割り当てられたユーザが、この案内画面に対応する番組の削除に同意していることを示している。
【００９６】
ユーザは、青ボタン８１、赤ボタン８２、緑ボタン８３、黄ボタン８４のいずれかを押すことによって、番組の削除への同意または不同意の意見を追加することができる。具体的には、ユーザにいずれかのカラーボタンが押されることにより、受付部９は、どのカラーボタンが押されたかを示す情報を受け取る。その情報は管理部３ｃへ送られ、管理部３ｃは、その情報をユーザデータベース１４に格納されているユーザ情報を用いてユーザを特定するインデックスに変換する。さらに、番組データベース８に格納されている当該番組の管理情報において、削除フラグ３３にそのインデックスが存在する場合は、削除フラグ３３からそのインデックスを削除する。削除フラグ３３にそのインデックスが存在しない場合は、削除フラグ３３にインデックスを追加する。この一連の動作により、管理情報にユーザの意見が追加される。
【００９７】
このように、実施の形態２の録画再生装置５０においては、ユーザをユーザ名ではなく色で識別する。各色は、リモコン１１に備えられたカラーボタンに付された色に対応し、録画再生装置５０を使用するユーザ間で適宜割り当てられる。これらカラーボタンはデジタル放送対応の機器のリモコンには通常備えられているものであり、録画再生装置５０のために改めて設計、製造する必要はない。
【００９８】
また、ユーザデータベース１４に色と、ユーザを識別するインデックスとを対応付けて予め記憶させておくことで、ユーザが録画再生装置５０に対して何らかの登録を行う必要がなく、ユーザの負担を軽減させることができる。
【００９９】
また、実施の形態２においても、案内画面が表示されている場合、ユーザによりリモコン１１の削除ボタン５６が押されると、番組は削除される。つまり、ユーザは、番組が再生中である状態から削除ボタンを１回押すと案内画面を見ることができ、もう１回削除ボタンを押すと、その番組を削除することができる。
【０１００】
また、実施の形態１においては、案内画面が表示されている場合、ユーザは、上ボタン５２または下ボタン５３で自身の意見追加ボタン６１を選択し、決定ボタン５４を押すことで、その案内画面に対応する番組の削除への同意または不同意の意見を追加するとした。
【０１０１】
しかしながら、実施の形態２においては、カラーボタンのそれぞれが各ユーザに対応するため、ユーザは自身に対応するカラーボタンを押すだけで、同意または不同意の意見を追加することができる。つまり、番組の削除に係るユーザの作業量を減らすことができる。このことは結果として適切かつ効率的な番組の削除に寄与することになる。
【０１０２】
なお、実施の形態１および２において、案内画面には、その案内画面に対応する番組の削除に同意したユーザ名または色づけされたタイルが表示されるとした。しかしながら、ユーザ名また色づけされたタイルが表示されなくてもよく、例えば、削除に同意した人数でもよい。また、全体の人数と削除に同意した人数を合わせて表示してもよい。
【０１０３】
また、番組データベース８の管理情報に、番組の削除に対するユーザの同意または不同意の意見を追加するとしたが、他の意見を追加してもよい。例えば、番組の削除を能動的に否定するために“削除不可”という意見を追加してもよい。この場合、案内画面に“削除不可”という意見をユーザに入力させるボタン等を配置し、管理情報に“削除不可”を入力したユーザのインデックスを収めるためのフィールドを追加すればよい。また、画面生成部３ａが、そのフィールドを解釈し、“削除不可”の意見を追加したユーザを示す情報を含む案内画面の画像を生成すればよい。
【０１０４】
また、管理情報においては番組の削除に同意したユーザを特定するために、削除フラグ３３にユーザのインデックスを記録するとしたが、削除フラグ３３に換えて、または加えて、削除に同意しないユーザのインデックスを記録する不同意フラグを記録するフィールドを設けてもよい。
【０１０５】
このように、管理情報および案内画面の構成は、ユーザが番組の削除に関する意見を追加でき、また、あるユーザが番組を削除しようとしたときに、他のユーザの意見を参照できるものであれば、実施の形態１および２に示す構成以外の構成でもよい。
【０１０６】
また、案内画面が表示されている場合、ユーザは、番組を削除するときはリモコン１１の削除ボタン５６を押すとした。しかしながら他の手段でもよく、例えば、案内画面上に“削除”と表示する画面内削除ボタンを設け、その画面内削除ボタンが選択されリモコン１１の決定ボタン５４が押されることで番組を削除してもよい。
【０１０７】
この場合、番組表示画面から案内画面に遷移してきたとき、初期状態で画面内削除ボタンが強調表示されている状態であれば、ユーザは、案内画面が表示された状態から決定ボタンを１回押すだけでその案内画面に対応する番組を削除することができる。
【０１０８】
また、本発明の録画再生装置におけるコンテンツの一例として、テレビ放送波によって伝達される放送番組を用いて説明したが、本発明の録画再生装置におけるコンテンツは他の形式のデータでもよい。例えば、録画再生装置５０がチューナ２を備えていなくてもよく、この場合、録画再生装置５０が録画し再生するデータは他の再生機器からケーブル経由で送信されるデータでもよい。また、映像を伴わない音声のみのデータでもよい。
【０１０９】
また、ユーザが録画再生装置５０に指示を与えるためにリモコン１１を用いる形態を説明したが、リモコン１１以外の手段でユーザが録画再生装置５０に指示を与えてもよい。例えば、音声で指示を与えてもよく、この場合、例えば、録画再生装置５０の受付部９がその音声を解釈できる機能を有すればよい。
【０１１０】
また、番組が削除された場合、その番組のＨＤＤ７における記憶領域を空き領域として扱う手段として、削除対象の番組の管理情報を削除するとした。しかしながら、別の手段でもよい。例えば、ＨＤＤ７に記憶されている番組の記憶領域を、空き領域であることを示すデータで書き換えるなどの手段でもよい。この場合、管理部３ｃが、対応する番組のデータがＨＤＤ７に存在しない管理情報は削除する、または、タイトル一覧画面に表示しないようにするなどの処理を行えばよい。
【０１１１】
このように、録画再生装置５０において扱われるデータの形式や、録画再生装置５０における指示および番組の再生不可能化の手段などは、実施の形態１および２に示したもの以外でもよく、これらの場合であっても、録画再生装置５０の特徴である、ユーザが適切にかつ効率的にコンテンツの削除を行なうことのできる機能が損なわれることはない。
【０１１２】
また、録画再生装置５０において、録画された番組を再生し表示する番組表示画面から案内画面に遷移した場合、その番組の再生を停止しなくても良い。また、この場合、番組表示画面に重ねて案内画面を表示してもよい。
【０１１３】
番組の再生を停止せず、番組表示画面に案内画面を重ねて表示する場合、実質的には、案内画面の内容がユーザに提示される内容であり、この状態におけるユーザの指示に基づく処理は、番組表示画面から案内画面に遷移した場合の処理を行なえばよい。
【０１１４】
例えば、番組表示画面に案内画面を重ねて表示されている場合に、ユーザによりリモコン１１の削除ボタン５６が押されたときは、判断部３ｂは、番組の再生は無視し、優先的に、案内画面が出力部６から出力されていると判断すればよく、管理部３ｃはその案内画面に対応する番組を削除すればよい。
【０１１５】
このように、番組の再生と案内画面の出力とが重なった場合であっても、判断の優先順位を予め設定しておくことにより、ユーザが適切にかつ効率的にコンテンツの削除を行なうことのできる機能が損なわれることはない。
【産業上の利用可能性】
【０１１６】
本発明は、ユーザに適切にかつ効率的にユーザが適切にかつ効率的にコンテンツの削除を行なうことのできる録画再生装置を提供することができる。従って、本発明は、ＨＤＤ等の記憶媒体にコンテンツを記録し再生するＤＶＲとして有用である。
【図面の簡単な説明】
【０１１７】
【図１】本発明の実施の形態１における録画再生装置の機能的な構成を示す機能ブロック図である。
【図２】本発明の実施の形態１における予約情報のデータ構成の一例を示す図である。
【図３】本発明の実施の形態１における管理情報のデータ構成の一例を示す図である。
【図４】本発明の実施の形態１におけるユーザ情報のデータ構成の一例を示す図である。
【図５】本発明の実施の形態１におけるリモコンの概観を示す図である。
【図６】本発明の実施の形態１におけるタイトル一覧画面の画面構成の一例を示す図である。
【図７】ユーザによりリモコンの削除ボタン５６が押された場合の録画再生装置の動作の流れを示すフロー図である。
【図８】本発明の実施の形態１における案内画面の画面構成の一例を示す図である。
【図９】本発明の実施の形態１の録画再生装置５０が出力する画面の遷移を示す図である。
【図１０】本発明の実施の形態２におけるリモコンの概観を示す図である。
【図１１】本発明の実施の形態２におけるユーザ情報のデータ構成の一例を示す図である。
【図１２】実施の形態２におけるタイトル一覧画面の画面構成の一例を示す図である。
【図１３】実施の形態２における案内画面の画面構成の一例を示す図である。
【符号の説明】
【０１１８】
１    アンテナ
２    チューナ
３    情報管理部
３ａ  画面生成部
３ｂ  判断部
３ｃ  管理部
４    エンコーダ
５    デコーダ
６    出力部
７    ＨＤＤ
８    番組データベース
９    受付部
１０    表示装置
１１    リモコン
１３    予約データベース
１４    ユーザデータベース
１５    時計
５０    録画再生装置
【図１】
2007150912.tif 000003
【図２】
2007150912.tif 000004
【図３】
2007150912.tif 000005
【図４】
2007150912.tif 000006
【図５】
2007150912.tif 000007
【図６】
2007150912.tif 000008
【図７】
2007150912.tif 000009
【図８】
2007150912.tif 000010
【図９】
2007150912.tif 000011
【図１０】
2007150912.tif 000012
【図１１】
2007150912.tif 000013
【図１２】
2007150912.tif 000014
【図１３】
2007150912.tif 000015